(57)【要約】【課題】  海苔網に対して次亜塩素酸および次亜塩素酸ソーダの少なくとも１種を有効成分として含有する生成液からなる活性処理液およびまたは金属イオンを有効成分として含有する活性処理液を用いて環境に優しい活性処理を確実に施すことができ、また、船上の空中にある間に前記の活性処理液を用いて活性処理を施すとともに、活性処理に有効な時間だけ浮上させておいた後に海面に戻すようにして、海苔の健康的な育成をはかることができる海苔の活性処理方法、活性処理装置および海苔作業船を提供すること。【解決手段】  海苔網に対して次亜塩素酸および次亜塩素酸ソーダの少なくとも１種およびまたは金属イオンを有効成分として含有する活性処理液を用いて活性処理を施すことを特徴とする。【選択図】      図８
2004313175.tif 000002
【特許請求の範囲】
【請求項１】
海苔網に対して次亜塩素酸および次亜塩素酸ソーダの少なくとも１種およびまたは金属イオンを有効成分として含有する活性処理液を用いて活性処理を施すことを特徴とする海苔の活性処理方法。
【請求項２】
次亜塩素酸および次亜塩素酸ソーダの少なくとも１種を有効成分として含有する活性処理液は、塩化物水溶液の電気分解生成液または次亜塩素酸ソーダを含有する溶液に酸剤を添加して生成された溶液からなり、
金属イオンを有効成分として含有する活性処理液は、金属を電気分解することにより生成された溶液からなる
ことを特徴とする請求項１に記載の海苔の活性処理方法。
【請求項３】
動力推進機構を有する海苔作業船を海面部分に展張されている海苔養殖施設の海苔網の下面をくぐるように進行させて、前記海苔網を船体の船首部から後部へ相対移動させながら海苔網に対して次亜塩素酸および次亜塩素酸ソーダの少なくとも１種およびまたは金属イオンを有効成分として含有する活性処理液を用いて活性処理を施し、その後前記展張位置へ導びいて再び展張させることを特徴とする海苔の活性処理方法。
【請求項４】
動力推進機構を有する海苔作業船を海面部分に展張されている海苔養殖施設の海苔網の下面をくぐるように進行させて、前記海苔網を船体の船首部から後部へ相対移動させながら海苔網に対して次亜塩素酸および次亜塩素酸ソーダの少なくとも１種およびまたは金属イオンを有効成分として含有する活性処理液を用いて活性処理を施し、更に後部案内部材をもってこの活性処理に有効な時間だけ前記海苔網を浮上させた後に前記展張位置へ導びいて再び展張させることを特徴とする海苔の活性処理方法。
【請求項５】
活性処理液を、海苔網が処理槽内の活性処理液中を通過する前または後において海苔網に直接作用させることを特徴とする請求項３または請求項４に記載の海苔の活性処理方法。
【請求項６】
次亜塩素酸および次亜塩素酸ソーダの少なくとも１種を有効成分として含有する活性処理液は、塩化物水溶液の電気分解生成液または次亜塩素酸ソーダを含有する溶液に酸剤を添加して生成された溶液からなり、
金属イオンを有効成分として含有する活性処理液は、金属を電気分解することにより生成された溶液からなる
ことを特徴とする請求項３から請求項５のいずれか１項に記載の海苔の活性処理方法。
【請求項７】
前記塩化物水溶液として海水を用いることを特徴とする請求項２または請求項６に記載の海苔の活性処理方法。
【請求項８】
前記電気分解生成液をｐＨ２．５〜８．５に調整したことを特徴とする請求項２、請求項６または請求項７に記載の海苔の活性処理方法。
【請求項９】
ｐＨ調整剤は酸剤からなることを特徴とする請求項８に記載の海苔の活性処理方法。
【請求項１０】
船体の船首部から後部へ相対移動する海苔網に対して活性処理の前に次亜塩素酸および次亜塩素酸ソーダの少なくとも１種およびまたは金属イオンを有効成分として含有する予備処理液を用いて予備処理を施すことを特徴とする請求項３から請求項９のいずれか１項に記載の海苔の活性処理方法。
【請求項１１】
予備処理液は、前記活性処理に用いられた活性処理液の排液、当該排液に前記活性処理液を添加した液および前記前記活性処理液と同様の液のいずれかよりなることを特徴とする請求項１０に記載の海苔の活性処理方法。
【請求項１２】
次亜塩素酸を有効成分として含有する塩化物水溶液の電気分解生成液を活性処理液として生成する電気分解手段または次亜塩素酸ソーダを含有する溶液に酸剤を添加して次亜塩素酸を有効成分として含有する活性処理液若しくは次亜塩素酸ソーダ有効成分として含有する活性処理液を生成する処理液生成手段との群と、
金属を電気分解することにより生成された金属イオンを有効成分として含有する活性処理液を生成する金属イオン生成手段との
少なくとも１つの手段と、
前記活性処理液を海苔網と接触させるために貯留する処理液槽とを有することをことを特徴とする海苔の活性処理装置。
【請求項１３】
次亜塩素酸を有効成分として含有する塩化物水溶液の電気分解生成液からなる活性処理液、次亜塩素酸ソーダを含有する溶液に酸剤を添加して次亜塩素酸を有効成分として含有する活性処理液、次亜塩素酸ソーダ有効成分として含有する活性処理液、金属イオンを有効成分として含有する活性処理液の少なくとも１種をを生成するとともに処理液槽に貯留する活性処理機構を設け、
海苔養殖施設を構成する綱類が上面を通過する下方部材と、この下方部材上に接離自在にして載置されている上方部材と、前記両部材間を前記綱類が通過している際に前記上方部材を下方部材に対して一定位置に保持する上方部材保持機構とを有する綱類通過装置における前記下方部材を前記活性処理機構の処理液槽の両側にそれぞれ配設し、前記処理液槽の上部を海苔養殖施設を構成する綱類と一緒に通過する海苔網を処理液槽中の前記活性処理液中に押し下げて浸漬させる海苔網浸漬体を前記両側の上方部材によって支持するように配設した
ことを特徴とする海苔の活性処理装置。
【請求項１４】
前記活性処理液を、海苔網が処理槽内の前記活性処理液中を通過する前または後において海苔網に直接作用させる活性処理液付与機構を設けたことを特徴とする請求項１２または請求項１３に記載の海苔の活性処理装置。
【請求項１５】
前記塩化物水溶液として海水を用いることを特徴とする請求項１２から請求項１４のいずれか１項に記載の海苔の活性処理装置。
【請求項１６】
前記電気分解生成液をｐＨ２．５〜８．５に調整したことを特徴とする請求項１２から請求項１５のいずれか１項に記載の海苔の活性処理装置。
【請求項１７】
ｐＨ調整剤は酸剤からなることを特徴とする請求項１６に記載の海苔の活性処理装置。
【請求項１８】
下方部材に沿って相対移動する海苔網に対して活性処理の前に次亜塩素酸および次亜塩素酸ソーダの少なくとも１種およびまたは金属イオンを有効成分として含有する予備処理液を用いて予備処理を施す予備処理機構を設けたことを特徴とする請求項１３から請求項１７のいずれか１項に記載の海苔の活性処理装置。
【請求項１９】
予備処理液は、前記活性処理に用いられた活性処理液の排液、当該排液に前記活性処理液を添加した液および前記前記活性処理液と同様の液のいずれかよりなることを特徴とする請求項１８に記載の海苔の活性処理装置。
【請求項２０】
請求項１３から請求項１９のいずれか１項に記載の海苔の活性処理装置を搭載したことを特徴とする海苔作業船。
【請求項２１】
請求項１３から請求項１９のいずれか１項に記載の海苔の活性処理装置および海苔網から海苔を刈取る刈取り機を搭載したことを特徴とする海苔作業船。
【発明の詳細な説明】
【技術分野】
【０００１】
本発明は、海苔養殖場において海面部分に展張されている海苔網および海苔網に繁殖した海苔に対して効果的な海苔の活性処理を施したり、前記海苔を刈取ったりする場合に用いられる海苔の活性処理方法、活性処理装置および海苔作業船に関する。
【背景技術】
【０００２】
一般に、海苔養殖は枠綱に浮子を取付けて海苔網を海面に浮かすように展張して錨で止める浮き流し方式や海中に立設した支柱に海苔網を展張した支柱方式によって行なわれている。
【０００３】
また、健康な海苔を育成し、収穫率を向上させるために海苔の刈取り後の海苔網に対して酸処理を施している。
【０００４】
本出願人は特許文献１に示すように、このような海苔養殖において、動力推進機構を有する船を海面部分に展張されている海苔網の下面をくぐるように進行させて、前記海苔網を船体の船首部から後部へ相対移動させながら海苔網に対して薬剤処理を施し、更に後部案内部材をもってこの薬剤処理に有効な時間だけ前記海苔網を浮上させた後に海面の前記展張位置へ導びいて再び展張させるようにするとともに、海苔網および海苔養殖施設を構成する綱類をスムースに通過させつつ前記綱類より上方位置に所望の部材を支持することができるとともに、構成が簡単であり、軽量で、コストも低廉な海苔養殖施設を構成する綱類通過装置を提案し、また、前記海苔養殖施設を構成する綱類通過装置を利用して海苔網浸漬体を処理液槽に対して常に所定位置関係に保持し、海苔網および前記綱類をスムーズに通過させることができ、海苔網を確実に処理液槽中の処理液中に浸漬通過させることができ、適正な処理を施すことのできる海苔網処理装置を提案し、また前記海苔養殖施設を構成する綱類通過装置を利用して薬剤処理や海苔の刈取りを施すことのできる海苔作業船を提案している。
【０００５】
【特許文献１】特許第３１９３６５５号公報
【発明の開示】
【発明が解決しようとする課題】
【０００６】
本発明はこのような点に鑑みてなされたものであり、海苔網や海苔に対して、次亜塩素酸または次亜塩素酸ソーダを有効成分として含有するとともに、例えばｐＨ２．５〜８．５に調整した塩化物水溶液の電気分解生成液や次亜塩素酸ソーダを含有する溶液に酸剤を添加して次亜塩素酸および次亜塩素酸ソーダの少なくとも１種を有効成分として含有する生成液からなる活性処理液およびまたは金属イオンを有効成分として含有する活性処理液を用いて環境に優しい活性処理を確実に施すことができ、また、船上の空中にある間に次亜塩素酸および次亜塩素酸ソーダの少なくとも１種およびまたは金属イオンを有効成分として含有する前記の活性処理液を用いて活性処理を施すとともに、活性処理に有効な時間だけ浮上させておいた後に海面に戻すようにして、海苔の健康的な育成をはかることができ、また、予備処理を施すことによってより活性処理を適正かつ確実に施すことができ、コストも低廉であり、環境に優しい活性処理を確実に施すことのできる海苔の活性処理方法、活性処理装置および海苔作業船を提供することを目的とする。
【課題を解決するための手段】
【０００７】
前述した目的を達成するため本発明の海苔の活性処理方法は、海苔網に対して次亜塩素酸および次亜塩素酸ソーダの少なくとも１種およびまたは金属イオンを有効成分として含有する活性処理液、具体的には塩化物水溶液の電気分解生成液、次亜塩素酸ソーダを含有する溶液に酸剤を添加して生成された溶液、次亜塩素酸ソーダ有効成分として含有する活性処理液、金属イオンを有効成分として含有する活性処理液等からなる活性処理液を用いて活性処理を施すことを特徴とする。
【０００８】
また、本発明の他の海苔の活性処理方法は、動力推進機構を有する海苔作業船を海面部分に展張されている海苔養殖施設の海苔網の下面をくぐるように進行させて、前記海苔網を船体の船首部から後部へ相対移動させながら海苔網に対して次亜塩素酸および次亜塩素酸ソーダの少なくとも１種およびまたは金属イオンを有効成分として含有する活性処理液、具体的には塩化物水溶液の電気分解生成液、次亜塩素酸ソーダを含有する溶液に酸剤を添加して生成された溶液、次亜塩素酸ソーダ有効成分として含有する活性処理液、金属イオンを有効成分として含有する活性処理液等からなる活性処理液を用いて活性処理を施し、その後前記展張位置へ導びいて再び展張させたり、更に後部案内部材をもってこの活性処理に有効な時間だけ前記海苔網を浮上させた後に前記展張位置へ導びいて再び展張させることを特徴とする。更に、船体の船首部から後部へ相対移動する海苔網に対して活性処理の前に次亜塩素酸および次亜塩素酸ソーダの少なくとも１種およびまたは金属イオンを有効成分として含有する予備処理液を用いて予備処理を施すとよい。ここで塩化物水溶液とは、海水や、真水に塩化ナトリウムを所定量含有させたものや、塩素と他の元素または基との化合物、例えば塩化水素、二酸化塩素、塩化ナトリウム、塩化カリウム、塩化カルシウム等の溶液を含むものを意味する。
【０００９】
また、本発明の海苔の活性処理装置は、次亜塩素酸を有効成分として含有する塩化物水溶液の電気分解生成液を活性処理液として生成する電気分解手段または次亜塩素酸ソーダを含有する溶液に酸剤を添加して次亜塩素酸を有効成分として含有する活性処理液若しくは次亜塩素酸ソーダ有効成分として含有する活性処理液を生成する処理液生成手段との群と、金属を電気分解することにより生成された金属イオンを有効成分として含有する活性処理液を生成する金属イオン生成手段との少なくとも１つの手段と、前記活性処理液を海苔網と接触させるために貯留する処理液槽とを有することを特徴とする。
【００１０】
また、本発明の他の海苔の活性処理装置は、次亜塩素酸を有効成分として含有する塩化物水溶液の電気分解生成液からなる活性処理液、次亜塩素酸ソーダを含有する溶液に酸剤を添加して次亜塩素酸を有効成分として含有する活性処理液、次亜塩素酸ソーダ有効成分として含有する活性処理液、金属イオンを有効成分として含有する活性処理液の少なくとも１種を生成するとともに処理液槽に貯留する活性処理機構を設け、海苔養殖施設を構成する綱類が上面を通過する下方部材と、この下方部材上に接離自在にして載置されている上方部材と、前記両部材間を前記綱類が通過している際に前記上方部材を下方部材に対して一定位置に保持する上方部材保持機構とを有する綱類通過装置における前記下方部材を前記活性処理機構の処理液槽の両側にそれぞれ配設し、前記処理液槽の上部を海苔養殖施設を構成する綱類と一緒に通過する海苔網を処理液槽中の前記活性処理液中に押し下げて浸漬させる海苔網浸漬体を前記両側の上方部材によって支持するように配設したことを特徴とする。ここで海苔養殖施設を構成する綱類とは、海苔網を養殖場において所定位置に展張するために必要な縁綱、側綱、吊り綱等の綱類の総称を意味する。更に、下方部材に沿って相対移動する海苔網に対して活性処理の前に次亜塩素酸または次亜塩素酸ソーダを有効成分として含有する予備処理液を用いて予備処理を施す予備処理機構を設けるとよい。
【００１１】
また、本発明の海苔作業船は、前記海苔の活性処理装置や海苔網から海苔を刈取る刈取り機を搭載したことを特徴とする。
【００１２】
また、前記電気分解生成液をｐＨ２．５〜８．５に調整するとよく、そのｐＨ調整に酸剤を用いるとよい。また、前記活性処理液を、海苔網が処理槽内の前記活性処理液中を通過する前または後において海苔網に直接作用させるととよい。
【００１３】
このように形成されている本発明の海苔の活性処理装置を搭載した海苔作業船を用いて海苔の活性処理方法を施すことにより、海苔網に繁殖している海苔や海苔の刈取り後の海苔網に対して、箱船状の海苔作業船や海苔網の下を通過可能な海苔作業船上において次亜塩素酸および次亜塩素酸ソーダの少なくとも１種およびまたは金属イオンを有効成分として含有するとともに、例えばｐＨ２．５〜８．５に調整した塩化物水溶液の電気分解生成液、次亜塩素酸ソーダを含有する溶液に酸剤を添加して生成された溶液、次亜塩素酸ソーダ有効成分として含有する活性処理液、金属イオンを有効成分として含有する活性処理液等からなる活性処理液を用いて海苔の活性処理を施した後に海面に戻したり、活性処理を施すとともに、海苔網を活性処理に有効な時間だけ浮上させておいた後に海面に戻すようにして、海苔の健康的な育成をはかることができる。更に、予備処理機構を設けることにより、下方部材に沿って相対移動する海苔網に対して活性処理の前に次亜塩素酸および次亜塩素酸ソーダの少なくとも１種およびまたは金属イオンを有効成分として含有する予備処理液を用いて予備処理を施すことができ、活性処理をより適正かつ確実に施すことが可能となる。
【００１４】
具体的には、海苔網の下を通過可能な海苔作業船においては、綱類通過装置の上下の部材間を綱類と一緒に海苔網を通過させている間に、海苔網を上側の海苔網浸漬体と下側の活性処理機構の処理液槽との間を通過させ、海苔網浸漬体により海苔網を処理液槽内の次亜塩素酸および次亜塩素酸ソーダの少なくとも１種およびまたは金属イオンを有効成分として含有するとともに、例えばｐＨ２．５〜８．５に調整した塩化物水溶液の電気分解生成液、次亜塩素酸ソーダを含有する溶液に酸剤を添加して生成された溶液、次亜塩素酸ソーダ有効成分として含有する活性処理液、金属イオンを有効成分として含有する活性処理液等からなる活性処理液中に確実に浸漬させて海苔の活性処理を行うようにしている。
【００１５】
箱船状の海苔作業船においては、海苔網を処理液槽内の次亜塩素酸および次亜塩素酸ソーダの少なくとも１種およびまたは金属イオンを有効成分として含有するとともに、例えばｐＨ２．５〜８．５に調整した塩化物水溶液の電気分解生成液、次亜塩素酸ソーダを含有する溶液に酸剤を添加して生成された溶液、次亜塩素酸ソーダ有効成分として含有する活性処理液、金属イオンを有効成分として含有する活性処理液等からなる活性処理液中に確実に浸漬させて海苔の活性処理を行うようにしている。
【００１６】
また、従来の酸剤等の薬剤の代わりに塩化物水溶液としての塩化ナトリウム水溶液の電気分解生成液を用いると、海苔網に付着して海水中に持ち込まれる塩化ナトリウム水溶液の電気分解生成液は元々海水の成分に含まれるものであるために、海水の汚染を誘発することもなく環境にも優しいものとなり、環境破壊の要因が全くない素材を用いて海苔の活性処理を施すことができる。また、塩化物水溶液の電気分解生成液の有効成分を次亜塩素酸とし、電気分解の完了前または完了後にｐＨ調整剤として酸剤を添加混合して、例えばｐＨ２．５〜８．５に調整した塩化物水溶液の電気分解生成液を得るので、当該電気分解生成液は環境に優しい成分であるために、活性処理後に残留している電気分解生成液を海中に戻すことができ、コストも低廉となり、取り扱いも容易となる。また、塩化ナトリウム水溶液として無尽蔵の海水を利用すれば活性処理を施す海苔養殖の現場において容易に調達することができ、従来の酸剤のみを用いる場合に比べて資源の節約をはかることができ、船で現場まで酸剤を運んだり酸処理後の酸剤を持ち帰る必要もなくなり、船の軽量化および高速移動化を図ることができる。
【００１７】
また、このように形成されている海苔の活性処理装置を海苔作業船に搭載したり、海苔網から海苔を刈取る刈取り機を更に搭載することにより、海苔作業船を海苔網の下を潜らせる間に海苔網や海苔に対する活性処理並びに海苔の刈取りを自動的に極めて良好に行なうようにしている。更に、予備処理機構を設ける（刈取り機が設置されている場合にはその下流側に設ける）ことにより、下方部材に沿って相対移動する海苔網に対して活性処理の前に次亜塩素酸および次亜塩素酸ソーダの少なくとも１種およびまたは金属イオンを有効成分として含有する予備処理液を用いて予備処理を施すことができ、活性処理をより適正かつ確実に施すことが可能となる。
【発明の効果】
【００１８】
以上説明したように本発明の海苔の活性処理方法、活性処理装置および海苔作業船は構成されるものであるから、本発明の海苔の活性処理装置を搭載した海苔作業船を用いて海苔の活性処理方法を施すことにより、海苔網に繁殖している海苔や海苔の刈取り後の海苔網に対して、次亜塩素酸および次亜塩素酸ソーダの少なくとも１種およびまたは金属イオンを有効成分として含有するとともに、例えばｐＨ２．５〜８．５に調整した塩化物水溶液の電気分解生成液、次亜塩素酸ソーダを含有する溶液に酸剤を添加して次亜塩素酸を有効成分として含有する活性処理液、次亜塩素酸ソーダ有効成分として含有する活性処理液、金属イオンを有効成分として含有する活性処理液の少なくとも１種からなる活性処理液を用いて環境に優しい活性処理を確実に施すことができる。また、箱船状の海苔作業船や海苔網の下を通過可能な船上の空中にある間に次亜塩素酸および次亜塩素酸ソーダの少なくとも１種およびまたは金属イオンを有効成分として含有するとともに、例えばｐＨ２．５〜８．５に調整した塩化物水溶液の電気分解生成液、次亜塩素酸ソーダを含有する溶液に酸剤を添加して次亜塩素酸を有効成分として含有する活性処理液、次亜塩素酸ソーダ有効成分として含有する活性処理液、金属イオンを有効成分として含有する活性処理液の少なくとも１種を用いて海苔の活性処理を施すとともに、海苔網を活性処理に有効な時間だけ浮上させておいた後に海面に戻すようにして、海苔の健康的な育成をはかることができ、また、予備処理を施すことによってより活性処理を適正かつ確実に施すことができ、コストも低廉であり、環境に優しい活性処理を確実に施すことができる。
【００１９】
具体的には、海苔網の下を通過可能な海苔作業船においては、綱類通過装置の上下の部材間を綱類と一緒に海苔網を通過させている間に、海苔網を上側の海苔網浸漬体と下側の活性処理機構の処理液槽との間を通過させ、海苔網浸漬体により海苔網を処理液槽内の次亜塩素酸および次亜塩素酸ソーダの少なくとも１種およびまたは金属イオンを有効成分として含有するとともに、例えばｐＨ２．５〜８．５に調整した塩化物水溶液の電気分解生成液、次亜塩素酸ソーダを含有する溶液に酸剤を添加して次亜塩素酸を有効成分として含有する活性処理液、次亜塩素酸ソーダ有効成分として含有する活性処理液、金属イオンを有効成分として含有する活性処理液の少なくとも１種からなる活性処理液中に確実に浸漬させて海苔の活性処理を行うようにしている。更に、予備処理機構を刈取り機の下流側に設けることにより、船の後方に向けて相対移動する海苔網に対して活性処理の前に次亜塩素酸および次亜塩素酸ソーダの少なくとも１種およびまたは金属イオンを有効成分として含有する予備処理液を用いて予備処理を施して、活性処理をより適正かつ確実に施すようにしている。
【００２０】
箱船状の海苔作業船においては、海苔網を処理液槽内の次亜塩素酸および次亜塩素酸ソーダの少なくとも１種およびまたは金属イオンを有効成分として含有するとともに、例えばｐＨ２．５〜８．５に調整した塩化物水溶液の電気分解生成液、次亜塩素酸ソーダを含有する溶液に酸剤を添加して次亜塩素酸を有効成分として含有する活性処理液、次亜塩素酸ソーダ有効成分として含有する活性処理液、金属イオンを有効成分として含有する活性処理液の少なくとも１種からなる活性処理液中に確実に浸漬させて海苔の活性処理を行うようにしている。
【００２１】
また、従来の酸剤等の薬剤の代わりに塩化物水溶液としての塩化ナトリウム水溶液の電気分解生成液を用いると、海苔網に付着して海水中に持ち込まれる塩化ナトリウム水溶液の電気分解生成液は元々海水の成分に含まれるものであるために、海水の汚染を誘発することもなく環境にも優しいものとなり、環境破壊の要因が全くない素材を用いて海苔の活性処理を施すことができる。また、塩化物水溶液の電気分解生成液を次亜塩素酸を有効成分として含有するものとし、電気分解の完了前または完了後にｐＨ調整剤として酸剤を添加混合して、ｐＨ２．５〜８．５に調整した塩化物水溶液の電気分解生成液を得るので、当該電気分解生成液は次亜塩素酸を有効成分とし、環境に優しい成分であるために、活性処理後に残留している電気分解生成液を海中に戻すことができ、コストも低廉となり、取り扱いも容易となる。また、塩化ナトリウム水溶液として無尽蔵の海水を利用すれば活性処理を施す海苔養殖の現場において容易に調達することができ、従来の酸剤のみを用いる場合に比べて資源の節約をはかることができ、船で現場まで酸剤を運んだり酸処理後の酸剤を持ち帰る必要もなくなり、船の軽量化および高速移動化を図ることができる。
【００２２】
また、このように形成されている海苔の活性処理装置を海苔作業船に搭載したり、海苔網から海苔を刈取る刈取り機を更に搭載することにより、海苔作業船を海苔網の下を潜らせる間に海苔網や海苔に対する活性処理並びに海苔の刈取りを自動的に極めて良好に行なうようにしている。更に、予備処理機構を設ける（刈取り機が設置されている場合にはその下流側に設ける）ことにより、下方部材に沿って相対移動する海苔網に対して活性処理の前に次亜塩素酸および次亜塩素酸ソーダの少なくとも１種およびまたは金属イオンを有効成分として含有する予備処理液を用いて予備処理を施すことができ、活性処理をより適正かつ確実に施すことが可能となる。
【発明を実施するための最良の形態】
【００２３】
以下、本発明の実施の形態を図１から図８について説明する。
【００２４】
図１は本発明の海苔養殖施設を構成する綱類通過装置（以下、綱類通過装置という）を利用して形成されている海苔の活性処理装置を搭載した海苔網の下を通過可能な海苔作業船を示している。
【００２５】
図１に示すように、海苔作業船Ａによる海苔の刈取りや海苔網Ｂに対する活性処理は次のようにして行なわれる。
【００２６】
すなわち、スクリューＤ等の自走機構を備えた海苔作業船Ａを船尾に配置されている操舵室Ｃにおいて操船しながら、海苔作業船Ａの前方の水面中に張出すように設けられている前部案内部材Ｅによって海面に展張されている海苔網Ｂを掬い上げるようにして海苔作業船Ａを海苔網Ｂの下に潜るようにして進行させて行き、甲板の前方部分に配設されている刈取り機Ｆにより海苔網Ｂから海苔を刈取り、続いて刈取り機Ｆの後方に配置されている海苔の活性処理装置Ｇの処理液槽Ｈ内の次亜塩素酸および次亜塩素酸ソーダの少なくとも１種およびまたは金属イオンを有効成分として含有するとともに、例えばｐＨ２．５〜８．５調整した塩化物水溶液の電気分解生成液、次亜塩素酸ソーダを含有する溶液に酸剤を添加して次亜塩素酸を有効成分として含有する活性処理液、次亜塩素酸ソーダ有効成分として含有する活性処理液、金属イオンを有効成分として含有する活性処理液の少なくとも１種からなる活性処理液中に海苔網Ｂを浸漬通過させることにより所定の活性処理を施し、船Ａの後方に伸縮自在にして張出された後部案内部材Ｉにより海苔網Ｂを活性処理後所定時間空中に保持して活性処理液を海苔網Ｂに十分に浸透させてから、再び海苔網Ｂを水面に展張させるようにしている。更に、予備処理機構Ｊを刈取り機Ｆの下流側に設けることにより、船Ａの後方に向けて相対移動する海苔網Ｂに対して活性処理の前に次亜塩素酸および次亜塩素酸ソーダの少なくとも１種およびまたは金属イオンを有効成分として含有する予備処理液を用いて予備処理を施して、活性処理をより適正かつ確実に施すとよい。
【００２７】
図２から図６は海苔の活性処理装置Ｇの１実施形態を示している。
【００２８】
本実施形態における海苔の活性処理装置Ｇは、海苔作業船Ａ上に設置されるとともに塩化物水溶液の電気分解生成液、次亜塩素酸ソーダを含有する溶液に酸剤を添加して次亜塩素酸を有効成分として含有する活性処理液、次亜塩素酸ソーダ有効成分として含有する活性処理液、金属イオンを有効成分として含有する活性処理液の少なくとも１種からなる活性処理液が入れられる活性処理機構１の処理液槽２と、この処理液槽２の左右両側に設置されている１対の綱類通過装置３、３と、これらの綱類通過装置３、３によって支持されているとともに、処理液槽２の上部を通過する海苔網Ｂを処理液槽２中の次亜塩素酸および次亜塩素酸ソーダの少なくとも１種およびまたは金属イオンを有効成分として含有するとともに、例えばｐＨ２．５〜８．５調整した塩化物水溶液の電気分解生成液、次亜塩素酸ソーダを含有する溶液に酸剤を添加して生成された溶液、次亜塩素酸ソーダ有効成分として含有する活性処理液、金属イオンを有効成分として含有する活性処理液等からなる活性処理液４中に上方から押し下げて浸漬させる海苔網浸漬体５とをもって形成されている。前記綱類通過装置３は、前記処理液槽２に対して前記海苔網浸漬体５を上方に浮かして支持するものである。これによって、処理液槽２と海苔網浸漬体５との間を海苔網Ｂと綱類の１種である吊り綱Ｂａ等が自由に通過できる。これらの海苔網Ｂと吊り綱Ｂａとは図２、図３、図５、図６および図８において羽根矢印方向に進行する。
【００２９】
本実施形態においては、海苔作業船Ａ上に掬い上げた吊り綱Ｂａを下から支えて後方へ案内する左右１対の断面円形のほぼ水平な案内部材６、６の間に処理液槽２を設置している。そして、各案内部材６上にそれぞれ綱類通過装置３を配設している。本実施形態の綱類通過装置３においては、前記案内部材６が吊り綱Ｂａが上面を通過する下方部材となる。この案内部材６上に上方部材７が接離自在にして載置されているとともに、上方部材保持機構８によって上方部材７と案内部材６との間を吊り綱Ｂａが通過している際に上方部材７を案内部材６に対して一定位置に保持するようにされている。前記上方部材７は、２本の平行な主ロツド９、９の前後２箇所に下方に突出するように湾曲する下方湾曲部１０、１０を形成し、各下方湾曲部１０の湾曲途中をそれぞれ連結材１１、１１によって連結して一体化し、前後２本の連結材１１、１１を主ロツド９と平行で下方に突出するように若干湾曲している中間ロツド１２により連結して形成されており、左右２つの下方湾曲部１０、１０によって案内部材６を跨ぐようにして載置されている。また、各主ロツド９の前方端は１箇所に連結され、そこから吊り綱Ｂａを確実に下方湾曲部１０と案内部材６との間に導くガイドロツド９ａが前方に向けて延設されている。各下方湾曲部１０は、吊り綱Ｂａの通過を可能とするとともに、案内部材６と係合することにより上方部材７の左右方向への移動を阻止する作用を発揮する。また、案内部材６の前記各中間ロツド１２の後方位置には、それぞれ中間ロツド１２と係合して上方部材７の後方への移動を阻止する作用を発揮するストッパ１３が突設されている。更に、上方部材７はその自重により上方への移動を阻止されるようになっている。従って、本実施形態における上方部材保持機構８は、案内部材６と各下方湾曲部１０との係合部、中間ロツド１２とストッパ１３との係合部および上方部材７の自重とにより形成されている。
【００３０】
また、前記海苔網浸漬体５は、左右１対の上方部材７、７の主ロツド９、９間に連結ロツド１４を掛け渡し、この連結ロツド１４から処理液槽２の処理液貯留部１８内に延びるように複数本（本実施形態においては４本）の略Ｕ字形をしたロツド状の浸漬バー１５、１５を延設し、各浸漬バー１５の後端部を後端部材１６により連結して形成されている。この処理液槽２は海苔網Ｂの横幅より広い幅を有する略長方形状に形成されており、内部に立設した隔壁１７により内側の活性処理液４が貯留される処理液貯留部１８とその外側のオーバーフロー部１９とに分割されている。処理液貯留部１８内には後述する活性処理機構１の電解槽から活性処理液４が供給されて、常に所定量の活性処理液４が貯留されるように制御されている。また、図３および図５の鎖線に例示するように、活性処理液４の左右方向への揺れを防止するために、各浸漬バー１５の上部にパンチングメタルなどにより多数の孔が形成された平板状の処理液揺動防止部材２０を立設するようにして固着するとよい。また、後で詳述するが、図２、３および８に示すように、電気分解生成液、次亜塩素酸ソーダを含有する溶液に酸剤を添加して生成された溶液、次亜塩素酸ソーダ有効成分として含有する活性処理液、金属イオンを有効成分として含有する活性処理液等からなる活性処理液の原液を、海苔網Ｂが処理槽２内の活性処理液中を通過する前（または後）において海苔網Ｂに直接作用させるためのシャワーリングヘッド４７を設けている。更に、後で詳述するが、図１および８に示すように、刈取り機Ｆの下流側に予備処理液を上方を通過する海苔網Ｂに対して噴射する予備処理機構Ｊとして、例えば下方より上向きに予備処理液をシャワーリングする予備シャワーリングヘッドＪｈを設けている。予備処理液としては、活性処理に用いられた活性処理液の排液、当該排液に活性処理液を添加した液および前記活性処理液と同様の液のいずれかとするとよい。
【００３１】
次に、活性処理機構１を図８により説明する。この活性処理機構１は、塩化物水溶液の１種である塩化ナトリウム水溶液としての海水を電気分解して次亜塩素酸を有効成分として含有するとともに、例えばｐＨ２．５〜８．５に調整した電気分解生成液からなる活性処理液４を生成する海水電気分解手段３２と、金属を電気分解することにより生成する金属イオン生成手段５１と、海苔網Ｂと活性処理液４とを接触させて活性処理を施す接触処理手段３３とによって形成されている。
【００３２】
一方の海水電気分解手段３２は、電解槽３４を備えている。この電解槽３４には、予め所定濃度に生成された所定量の塩化物水溶液（例えば、海水）が充填供給されるようになっている。また、図８に示すように、ポンプ３５によって吸水管３６、３６ａ、仕切弁３６ａａを通してより海水３７を汲み上げることができるようにして、塩化物溶液としての海水を現地調達できるようにされている。また、電解槽３４内には陽極板３８と陰極板３９とが対面配置されており、それぞれ図示しない電源供給手段より正電位および負電位が供給されて、両極３８、３９の間に塩化物溶液としての塩化ナトリウム水溶液から次亜塩素酸を有効成分として含有する電気分解生成液が生成される。電解槽３４にはｐＨ２．５〜８．５に調整した塩化物水溶液の電気分解生成液を得るためのｐＨ調整剤が、ｐＨ調整剤貯留槽４０から供給管４１を通して供給されるようになっている。このｐＨ調整剤としては、ＨＣｌ等の酸剤を用いるとよい。電解槽３４からは、ポンプ４２を備えた供給管４３を通して次亜塩素酸を有効成分として含有するとともに、例えばｐＨ２．５〜８．５に調整された電気分解生成液からなる活性処理液４が１個の処理液貯留タンク４４に供給されるように形成されている。更に、この処理液貯留タンク４４からポンプ４５を備えた供給管４６ａ、４６ｂにより活性処理液４が処理液槽２の処理液貯留部１８と、海苔網Ｂが処理液貯留部１８内に浸漬される前において海苔網Ｂに電気分解生成液からなる活性処理液を下方よりシャワーリングして直接作用させる活性処理液付与機構としてのシャワーリングヘッド４７とに供給されるように形成されている。このシャワーリングヘッド４７は図８の破線に示すように、海苔網Ｂが処理液貯留部１８内に浸漬された後に海苔網Ｂに活性処理液４を下方よりシャワーリングして直接作用させるようにしてもよい。
【００３３】
他方の金属イオン生成手段５１は、ポンプ３５によって吸水管３６、３６ｂ、仕切弁３６ｂａを通して吸水される溶液としての海水３７を貯留するとともに通過させる溶液貯留室５２とこの溶液貯留室５２内に電気分解することにより金属イオンを発生させる電極５３ａ、５３ｂを設けて形成されている。両電極５３ａ、５３ｂには直流が印可され、正極側から正帯電した金属イオンが発生させられる。金属イオンの種類は、両電極５３ａ、５３ｂを形成する金属の原子の種類となる。この金属イオンを有効成分として含有する活性処理液は、ポンプ３５の送水力により供給管５４を通して処理液タンク４４に送水させる。この金属イオンの種類は海苔網に対して滅菌、殺菌等の活性処理を施すことのできるものであればよく、例えば、銀イオン、銅イオン、金イオン、コバルトイオン、ニッケルイオン、鉄イオン、アルミニウムイオン、亜鉛イオン等の中から選択するとよい。これらの金属イオンは溶液中に微少量存在することにより藻、細菌、微生物等を殺菌、滅菌、死滅させたり、再度の付着を防止することができ、しかも人体にも有害なものではないので、安全に使用することができる。
【００３４】
次に、前述した構成からなる本実施形態の作用を説明する。
【００３５】
先ず、海水電気分解手段３２を用いて活性処理を施す場合について説明する。
【００３６】
電解槽３４内には予め塩化物溶液を貯留しておくか、一方の仕切弁３６ａａを開放し、他方の仕切弁３６ｂａを閉じて、ポンプ３５を稼働させて海水３７を吸い上げて、吸水管３６、３６ａを通して電解槽３４に吸水するとよい。そして、海苔の養殖現場において、陽極板３８および陰極板３９に正電位および負電位を印可すると、電解槽３４内において塩化物溶液としての塩化ナトリウム水溶液の電気分解が行われ、陽極板３８および陰極板３９の間に次亜塩素酸（ＨＯＣｌ）を有効成分として含有する電気分解生成液が生成される。本実施形態においては、ｐＨ調整剤貯留槽４０から供給管４１を通して電解槽３４内へ所定量のｐＨ調整剤を送給して、例えばｐＨ２．５〜８．５に調整した塩化物水溶液の電気分解生成液からなる活性処理液４を得るようにされる。このｐＨ調整剤の添加混合は電気分解の完了前若しくは後のいずれかにおいて行うとよい。例えば、電気分解の完了前にｐＨ調整剤としてＨＣｌを用いると、添加混合したＨＣｌが電気分解水溶液のｐＨを低下させるとともに、電気分解水溶液内の次亜塩素酸の濃度を上昇させて、電気分解水溶液の海苔等の活性能力を向上させることができる。このようにして生成されたｐＨ２．５〜８．５に調整した次亜塩素酸を有効成分として含有する電気分解水溶液からなる活性処理液４は、電解槽３４からポンプ４２を備えた供給管４３を通して処理液貯留槽４４に一旦貯留され、その後ポンプ４５によって供給管４６ａ、４６ｂを通して処理液槽２の処理液貯留部１８とシャワーリングヘッド４７とに供給される。
【００３７】
このようにして処理液槽２内に次亜塩素酸を有効成分として含有するとともに、例えばｐＨ２．５〜８．５に調整した塩化物水溶液の電気分解生成液からなる活性処理液４が充填されている状態にして、海苔作業船Ａが海苔網Ｂの下に潜って行くと、海苔網Ｂが処理液槽２の処理液貯留部１８内に海苔網浸漬体５の浸漬バー１５、１５によって上から下方に押付けられて強制的に次亜塩素酸を有効成分として含有するとともに、例えばｐＨ２．５〜８．５に調整した塩化物水溶液の電気分解生成液を含む活性処理液４内に浸漬させられて、適正な活性処理が施される。同時に、シャワーリングヘッド４７から新鮮な次亜塩素酸を有効成分として含有するとともに、例えばｐＨ２．５〜８．５に調整した塩化物水溶液の電気分解生成液を含む活性処理液４が海苔網Ｂに向けて上向きに噴射されているので、海苔網Ｂはより確実に活性処理を施されることになる。このシャワーリングヘッド４７の活性処理液４の噴射により、処理液槽２の処理液貯留部１８内の活性処理液４が海苔網Ｂによって次亜塩素酸が消費されるのを補給して、活性処理液４の不足を防止することもできる。なお、図８の破線に示す位置に設けたシャワーリングヘッド４７により、処理液槽２の処理液貯留部１８を通過した後の海苔網Ｂに新鮮な活性処理液４を噴射するようにしてもよい。この活性処理を施している時に、海苔網Ｂの吊り綱Ｂａは、案内部材６上を後方に移動し、綱類通過装置３の主ロツド９の下方湾曲部１０の部分に達すると、図６に示すように、海苔作業船Ａの進行力により綱類通過装置３および海苔網浸漬体５の自重の総和に抗して下方湾曲部１０を持ち上げるようにしながら後方へ移動することにより下方湾曲部１０と案内部材６との間をスムースに通過する。この下方湾曲部１０と案内部材６との間を通過するのは吊り綱Ｂａだけであるから、吊り綱Ｂａによる上方部材７を持ち上げようとする上向きの力は比較的小さいので、前記上方部材保持機構８によって上方部材７は常に案内部材６に対して一定位置に保持されることとなる。
【００３８】
その後、吊り綱Ｂａは同様にして各上方部材７の下方湾曲部１０と案内部材６との間を通過して行く。
【００３９】
このようにして綱類通過装置３は吊り綱Ｂａの通過を許容するとともに、処理液槽２と海苔網浸漬体５との相対位置関係を一定位置に保持することができ、すなわち横揺れ、立て揺れを防止することができ、そして、海苔網Ｂと海苔網浸漬体５との相対位置関係をも一定位置に保持することができるので、海苔網Ｂに対する活性処理を常に適正なものとすることができる。更に、本実施の形態においては、浸漬バー１５に固着されている処理液揺動防止部材２０が、海苔網作業船Ａと一緒に処理液槽２が揺れた時に、処理液槽２内の活性処理液４の揺れを小さく抑えることができ、これにより活性処理液４の不規則な移動を確実に防止することができる。これにより活性処理液４の揺れに起因する重心の変動量を小さく抑えて、海苔作業船Ａの安定性を向上させ、かつ、処理液槽２内において海苔網Ｂを確実に活性処理液４内に浸漬させることにより、海苔網Ｂに対する活性処理を常に均一に施すことができる。本実施形態における綱類通過装置３は、ロツド材を組み合わせることにより形成されているために、複雑なメカニズムが不要となり、構成が簡単で、軽量であり、コストが非常に低廉となり、しかも吊り綱Ｂａをスムースに通過させることができるものである。また、海苔網浸漬体の構成は前記実施形態に限定されるものではなく、変更可能であり、例えば、図７に示すように、上方部材７、７の間に略Ｕ字形のロツド２１を掛渡すとともに、海苔網Ｂを押さえるローラ２２をロツド２１に回転自在に取付けてもよい。
【００４０】
また、前記実施形態においては、塩化物水溶液として塩化ナトリウム水溶液（海水）を用いたが、本発明においては、塩化物水溶液として塩素と他の元素または基との化合物、例えば塩化水素、二酸化塩素、塩化カリウム、塩化カルシウム等の溶液を同様にして用いることができる。
【００４１】
更に、これらの水溶液に中で電気分解しないで用いるもの、例えば塩化水素や二酸化塩素等は、そのままの塩化物水溶液を海苔の活性処理液として利用するとよい。
【００４２】
このように本実施形態によれば、海苔作業船Ａの進行に伴って、刈取り機Ｆにより海苔網Ｂから海苔が刈取られ、続いて海苔の活性処理装置Ｇにより、海苔網Ｂが海苔網浸漬体５の下を潜って活性処理液４に浸漬される間に、刈取り後の海苔網Ｂに対して次亜塩素酸を有効成分として含有するとともに、例えばｐＨ２．５〜８．５に調整した塩化物水溶液の電気分解生成液からなる活性処理液４による活性処理を均一に施し、更に、船尾より張り出している後部案内部材Ｉの後端部まで相対移動する間に塩化物水溶液の電気分解生成液からなる活性処理液４を海苔の細胞内に十分に浸透させ、また、葉体に付着している雑菌を殺菌させることによって適正な活性処理が施される。また、後部案内部材Ｉを縮めておいて、次亜塩素酸を有効成分として含有するとともに、例えばｐＨ２．５〜８．５に調整した塩化物水溶液の電気分解生成液からなる活性処理液４による活性処理を均一に施した後に、海苔網を海面に戻して展張させるようにしてもよい。
【００４３】
このように本発明の海苔作業船Ａを用いて海苔の活性処理方法を施すことにより、海苔の刈取り後の海苔網Ｂに対して、海苔作業船Ａ上の空中にある間に次亜塩素酸を有効成分として含有するとともに、例えばｐＨ２．５〜８．５に調整した塩化物水溶液の電気分解生成液からなる活性処理液４を用いて活性処理を施すとともに、活性処理に有効な時間だけ浮上させておいた後に海面に戻すようにして、海苔の健康的な育成をはかることができる。また、酸剤の代わりに塩化物水溶液として塩化ナトリウム水溶液の電気分解生成液を用いていると、海苔網に付着して海水中に持ち込まれる塩化ナトリウム水溶液の電気分解生成液は元々海水成分に含まれるものであるために海水の汚染を誘発することもなく環境にも優しいものとなり、環境破壊の要因が全くない素材を用いて海苔の活性処理を施すことができる。また、塩化物水溶液の電気分解生成液を次亜塩素酸を有効成分として含有するものとし、電気分解の完了前または完了後にｐＨ調整剤として酸剤を添加混合して、ｐＨ２．５〜８．５に調整した塩化物水溶液の電気分解生成液を得るので、当該電気分解生成液は次亜塩素酸を有効成分とし、環境に優しい成分であるために、活性処理後に残留している塩化ナトリウム水溶液の電気分解生成液は海中に戻すことができ、コストも低廉となり、取り扱いも容易となる。更に、電気分解処理液として次亜塩素酸を有効成分として含有する溶液を用いることにより、次亜塩素酸が短時間に飛散してしまい環境に悪影響を与えることがない。また、船で現場まで酸剤を運んだり酸処理後の酸剤を持ち帰る必要もなくなり、船の軽量化および高速移動化を図ることができる。
【００４４】
次に、金属イオン生成手段５１を用いて活性処理を施す場合について説明する。
【００４５】
本実施形態においては、一方の仕切弁３６ａａを閉じ、他方の仕切弁３６ｂａを開放して、ポンプ３５を稼働させて海水３７を吸い上げて、吸水管３６、３６ｂを通して金属イオン生成手段５１の溶液貯留室５２内に海水を通水すると同時に、電極５３ａと電極５３ｂとに直流を印可すると、正極側から正帯電した金属イオンが発生させられて、この金属イオンを有効成分として含有する活性処理液４が生成されて、ポンプ３５の送水力により供給管５４を通して処理液タンク４４に送水され、一旦貯留される。この場合、例えば両電極５３ａ、５３ｂを銅板によって形成すると、銅イオンが発生され、銅イオンを有効成分として含有する活性処理液４が生成される。この銅イオンの含有量は、例えば、０．１〜１．０ｐｐｍとされている。銀イオンの場合には０．０４〜０．１ｐｐｍ程度とするとよい。このようにして処理液貯留槽４４に一旦貯留された金属イオンを有効成分として含有する活性処理液４は、ポンプ４５によって供給管４６ａ、４６ｂを通して処理液槽２の処理液貯留部１８とシャワーリングヘッド４７や図８の破線に示す位置に設けたシャワーリングヘッド４７とに供給される。
【００４６】
これにより金属イオンを有効成分として含有する活性処理液４を用いて、前記の塩化物水溶液の電気分解生成液、次亜塩素酸ソーダを含有する溶液に酸剤を添加して次亜塩素酸を有効成分として含有する活性処理液、次亜塩素酸ソーダ有効成分として含有する活性処理液を用いた場合と同様にして、海苔および海苔網に対する活性処理作用が施される。その結果、金属イオンを有効成分として含有する活性処理液４を海苔の細胞内に十分に浸透させ、また、葉体に付着している雑菌を殺菌させることによって適正な活性処理が施される。
【００４７】
更に、海水電気分解手段３２および金属イオン生成手段５１によって同時に活性処理を施す場合には、両手段３２、５１を同時に稼働させるとよい。これにより、塩化物水溶液の電気分解生成液、次亜塩素酸ソーダを含有する溶液に酸剤を添加して次亜塩素酸を有効成分として含有する活性処理液、次亜塩素酸ソーダ有効成分として含有する活性処理液の群の１種類または複数種類の活性処理液と金属イオンを有効成分として含有する活性処理液とを処理液貯留槽４４内に混合状態で一旦貯留させ、その後混合状態の活性処理液を前記と同様にして海苔網Ｂに接触させて、両活性処理液の作用が相乗的に働いた活性処理が施され、更により効率的な活性処理が行われる。
【００４８】
このように本実施形態においては、海苔作業船Ａを推進させるだけで、案内部材によって海水中に展張されている海苔網Ｂを船上に抄い上げ、効果的な活性処理を自動的に施して、再び海水中に展張させることができ、海苔の収穫率を向上させるとともに、海苔の健康的な育成を促がすことができ、作業効率を向上させ、省人、省力化を図ることができる。
【００４９】
また、本発明の海苔の活性処理装置を箱船状の海苔作業船に用いる場合には、図８の構成要素のうち、少なくとも電気分解槽３４、ｐＨ調整剤貯留槽４０および処理液貯留槽４４若しくは金属イオン生成手段５１を箱船に搭載し、処理液貯留槽４４内に箱船に引き上げた海苔網をどぶ漬け状に浸漬して活性処理を施し、再び海面に海苔網を展張するようにしてもよい。
【００５０】
前記実施の形態においては、活性処理液を電気分解することにより得ているが、例えば、海水中に次亜塩素酸ソーダを添加して次亜塩素酸ソーダ含有する溶液を用意し、その中に酸剤を添加して次亜塩素酸を有効成分として含有する生成液若しくは酸剤を添加しないで次亜塩素酸ソーダのみを有効成分として含有する活性処理液等からなる活性処理液を生成し、その活性処理液を処理液貯留槽４４等に供給するようにしてもよい。
【００５１】
更に、図１および８に示すように、刈取り機Ｆの下流側に予備処理液を上方を通過する海苔網Ｂに対して噴射する予備処理機構Ｊとして、下方より上向きに予備処理液をシャワーリングする予備シャワーリングヘッドＪｈを設け、予備処理液として、処理液槽２のオーバーフロー部１９に集められる活性処理に用いられた活性処理液の排液を供給管５０を介して供給したり、当該排液に活性処理液４を添加した液若しくは前記活性処理液４と同様の液のいずれかを供給して予備処理を施すとよい。これにより船Ａの後方に向けて相対移動する海苔網Ｂに対して、刈取り機Ｆによって海苔を刈取られた後で活性処理の前に次亜塩素酸および次亜塩素酸ソーダの少なくとも１種およびまたは金属イオンを有効成分として含有する予備処理液を用いて予備処理を施して、海苔網Ｂに対する活性処理装置Ｇによる活性処理をより適正かつ確実に施すことができる。
【００５２】
また、本発明は、前記実施形態に限定されるものではなく、必要に応じて変更することができる。例えば、電気分解手段３２および金属イオン生成手段５１はいずれか一方のみを作業船に搭載して活性処理を施すようにしてもよい。
【図面の簡単な説明】
【００５３】
【図１】本発明に係る海苔の活性処理装置を搭載した海苔作業船の構成を示す側面図
【図２】本発明に係る海苔の活性処理装置の実施の形態の１例をスケルトン的に示す平面図
【図３】図２のＡ−Ａ線に沿った断面図
【図４】図２のＢ−Ｂ線に沿った断面図
【図５】図２に示す海苔の活性処理装置の要部を示す斜視図
【図６】綱類通過装置の綱類通過時の要部を示す拡大側面図
【図７】海苔網浸漬体の他の例を示す斜視図
【図８】活性処理機構の１例を示す構成図
【符号の説明】
【００５４】
１  海苔の活性処理機構
２  処理液槽
３、３ａ  綱類通過装置
４  処理液
５  海苔網浸漬体
６、６ａ  案内部材
７、７ａ  上方部材
８、８ａ  上方部材保持機構
３２  塩化物水溶液（塩化ナトリウム水溶液、海水）の電気分解手段
５１  金属イオン生成手段
Ａ  海苔作業船
Ｂ  海苔網
Ｂａ  吊り綱
Ｆ  刈取り機
Ｇ  海苔の活性処理装置
Ｉ  後部案内部材
Ｊ  予備処理機構
【図１】
2004313175.tif 000003
【図２】
2004313175.tif 000004
【図３】
2004313175.tif 000005
【図４】
2004313175.tif 000006
【図５】
2004313175.tif 000007
【図６】
2004313175.tif 000008
【図７】
2004313175.tif 000009
【図８】
2004313175.tif 000010